【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
複数の行および複数の列を形成するように配列された複数の画素を備える固体撮像装置であって、
前記複数の画素を第１の同期信号に基づいて行毎に走査しながら駆動する駆動部と、
前記駆動部により駆動された前記複数の画素から画素信号を読み出す読出部と、
前記読出部により読み出された画素信号を第２の同期信号に基づいて列毎に走査しながら転送する転送部と、
前記転送部により転送された画素信号を出力する出力部と、
前記読出部および前記出力部に電力を供給する電力供給部と、
制御部と、を備え、
前記制御部は、
画素信号の読み出しを開始する第１の場合には、前記電力供給部を非動作状態から動作状態にした後、前記第１の同期信号および前記第２の同期信号の少なくとも一方に基づいて定まる第１期間が経過したタイミングで、前記電力供給部による前記読出部および前記出力部の前記少なくとも一方への電力の供給量を増加させ、
画素信号の読み出しが終了した第２の場合には、前記電力供給部による前記読出部および前記出力部の前記少なくとも一方への電力の供給量を減少させた後、前記第１の同期信号および前記第２の同期信号の少なくとも一方に基づいて定まる第２期間が経過したタイミングで、前記電力供給部を動作状態から非動作状態にする
ことを特徴とする固体撮像装置。
【請求項２】
前記第１期間および前記第２期間の双方は、前記第１の同期信号および前記第２の同期信号の少なくとも一方の周期の整数倍である
ことを特徴とする請求項１に記載の固体撮像装置。
【請求項３】
前記制御部は、
前記第１の場合には、前記電力供給部による前記出力部への電力の供給量を増加させた後、前記第１の同期信号および前記第２の同期信号の少なくとも一方に基づく期間が経過したタイミングで前記電力供給部による前記読出部への電力の供給量を増加させ、
前記第２の場合には、前記電力供給部による前記読出部への電力の供給量を減少させた後、前記第１の同期信号および前記第２の同期信号の少なくとも一方に基づく期間が経過したタイミングで前記電力供給部による前記出力部への電力の供給量を減少させる
ことを特徴とする請求項１または請求項２に記載の固体撮像装置。
【請求項４】
前記出力部を制御するための制御信号を生成する第１の信号生成部をさらに備え、
前記制御部は、
前記第１の場合には、前記電力供給部による前記出力部への電力の供給量を増加させた後、前記第１の同期信号および前記第２の同期信号の少なくとも一方に基づく期間が経過したタイミングで前記第１の信号生成部による前記出力部への制御信号の供給を開始させ、
前記第２の場合には、前記第１の信号生成部による前記出力部への制御信号の供給を中止させた後、前記第１の同期信号および前記第２の同期信号の少なくとも一方に基づく期間が経過したタイミングで前記電力供給部による前記出力部への電力の供給量を減少させる
ことを特徴とする請求項３に記載の固体撮像装置。
【請求項５】
前記読出部を制御するための制御信号を生成する第２の信号生成部をさらに備え、
前記制御部は、
前記第１の場合には、前記電力供給部による前記読出部への電力の供給量を増加させた後、前記第１の同期信号および前記第２の同期信号の少なくとも一方に基づく期間が経過したタイミングで前記第２の信号生成部による前記読出部への制御信号の供給を開始させ、
前記第２の場合には、前記第２の信号生成部による前記読出部への制御信号の供給を中止させた後、前記第１の同期信号および前記第２の同期信号の少なくとも一方に基づく期間が経過したタイミングで前記電力供給部による前記読出部への電力の供給量を減少させる
ことを特徴とする請求項４に記載の固体撮像装置。
【請求項６】
前記制御部は、
前記第１の場合には、前記第１の信号生成部による前記出力部への制御信号の供給を開始させた後、前記第１の同期信号および前記第２の同期信号の少なくとも一方に基づく期間が経過したタイミングで前記第２の信号生成部による前記読出部への制御信号の供給を開始させ、
前記第２の場合には、前記第２の信号生成部による前記読出部への制御信号の供給を中止させた後、前記第１の同期信号および前記第２の同期信号の少なくとも一方に基づく期間が経過したタイミングで前記第１の信号生成部による前記出力部への制御信号の供給を中止させる
ことを特徴とする請求項５に記載の固体撮像装置。
【請求項７】
前記電力供給部は、バンドギャップ回路を含み、
前記第１の信号生成部は、第１のＰＬＬ回路を含み、
前記第２の信号生成部は、前記第１のＰＬＬ回路とは異なる第２のＰＬＬ回路を含み、
前記読出部は、コンパレータとランプジェネレータとカウンタとを含み、
前記出力部は、ＬＶＤＳ回路を含む
ことを特徴とする請求項６に記載の固体撮像装置。
【請求項８】
前記第１期間と前記第２期間とを特定する情報を記憶するための記憶部をさらに備えており、前記第１期間および前記第２期間の双方はさらに前記記憶部の情報にしたがう
ことを特徴とする請求項１から請求項７のいずれか１項に記載の固体撮像装置。
【請求項９】
前記記憶部の情報は、前記固体撮像装置への露光条件に基づいて設定される
ことを特徴とする請求項８に記載の固体撮像装置。
【請求項１０】
前記電力供給部は、第１スイッチを介して電源ラインに接続され、且つ、前記読出部および前記出力部の少なくとも一方は、第２スイッチを介して前記電力供給部に接続されており、
前記制御部は、ラッチ回路を有しており、
前記制御部は、
前記第１の場合には、画素信号の読み出しが開始されることの通知に応答して、該通知にしたがう信号を前記ラッチ回路によりラッチしながら前記第１スイッチを導通状態にするための信号を出力した後、前記第１期間が経過してから前記第２スイッチを導通状態にするための信号として該ラッチされた信号を出力し、
前記第２の場合には、画素信号の読み出しが終了したことの通知に応答して、該通知にしたがう信号を前記ラッチ回路によりラッチしながら前記第２スイッチを非導通状態にするための信号を出力した後、前記第２期間が経過してから前記第１スイッチを非導通状態にするための信号として該ラッチされた信号を出力する
ことを特徴とする請求項１から請求項９のいずれか１項に記載の固体撮像装置。
【請求項１１】
請求項１から請求項１０のいずれか１項に記載の固体撮像装置と、
前記固体撮像装置からの信号を処理するプロセッサと、を具備する
ことを特徴とするカメラ。
【手続補正２】
【補正対象書類名】明細書
【補正対象項目名】０００７
【補正方法】変更
【補正の内容】
【０００７】
本発明の一つの側面は固体撮像装置に係り、前記固体撮像装置は、複数の行および複数の列を形成するように配列された複数の画素を備える固体撮像装置であって、前記複数の画素を第１の同期信号に基づいて行毎に走査しながら駆動する駆動部と、前記駆動部により駆動された前記複数の画素から画素信号を読み出す読出部と、前記読出部により読み出された画素信号を第２の同期信号に基づいて列毎に走査しながら転送する転送部と、前記転送部により転送された画素信号を出力する出力部と、前記読出部および前記出力部に電力を供給する電力供給部と、制御部と、を備え、前記制御部は、画素信号の読み出しを開始する第１の場合には、前記電力供給部を非動作状態から動作状態にした後、前記第１の同期信号および前記第２の同期信号の少なくとも一方に基づいて定まる第１期間が経過したタイミングで、前記電力供給部による前記読出部および前記出力部の前記少なくとも一方への電力の供給量を増加させ、画素信号の読み出しが終了した第２の場合には、前記電力供給部による前記読出部および前記出力部の前記少なくとも一方への電力の供給量を減少させた後、前記第１の同期信号および前記第２の同期信号の少なくとも一方に基づいて定まる第２期間が経過したタイミングで、前記電力供給部を動作状態から非動作状態にすることを特徴とする。
【手続補正３】
【補正対象書類名】明細書
【補正対象項目名】発明の名称
【補正方法】変更
【補正の内容】
【発明の名称】固体撮像装置およびカメラ